(57)【特許請求の範囲】
【請求項１】
ケース本体と冷温水循環装置とからなり、
前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、
前記冷温水循環装置は、前記用土ケース部の内部及び前記水槽部の内部に配管され冷水または温水が流れる冷温水パイプと、該冷温水パイプに冷水または温水を供給する冷温水供給装置とを備え、前記冷温水パイプ内を循環して流れる冷水または温水によって前記用土ケース部内の植物栽培用土及び前記水槽部内の水を冷やしまたは温める
ことを特徴とする植物栽培容器。
【請求項２】
ケース本体と冷温水循環装置とからなり、
前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、
前記冷温水循環装置は、前記用土ケース部の内部に配管され冷水または温水が流れる冷温水パイプと、該冷温水パイプに冷水または温水を供給する冷温水供給装置とを備え、前記冷温水パイプ内を循環して流れる冷水または温水によって前記用土ケース部内の植物栽培用土を冷やしまたは温める
ことを特徴とする植物栽培容器。
【請求項３】
ケース本体と冷温水循環装置とからなり、
前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、
前記冷温水循環装置は、前記水槽部の内部に配管され冷水または温水が流れる冷温水パイプと、該冷温水パイプに冷水または温水を供給する冷温水供給装置とを備え、前記冷温水パイプ内を循環して流れる冷水または温水によって前記水槽部内の水を冷やしまたは温める
ことを特徴とする植物栽培容器。
【請求項４】
前記冷温水パイプは、前記用土ケース部の底面付近及び/または前記水槽部の底面付近に配管され、かつ、該冷温水パイプに上方へ延びる放熱・吸熱フィンが形成されていることを特徴とする請求項１、２または３記載の植物栽培容器。
【発明の詳細な説明】
【０００１】
【発明の属する技術分野】
本発明は、植物栽培容器、特に、植物を容器の中で栽培する際の水遣りを勘に頼ることなく行うことができ、しかも、栽培する植物に適した用土温度が得られるようにした植物栽培容器に関する。
【０００２】
【発明が解決しようとする課題】
周知のように、植物を容器の中で栽培する際の水遣りは、通常、時間を決めて行ったり、用土の湿り具合を見ながら行っており、勘に頼る作業であった。
【０００３】
また、植物によっては種類によって冷たい用土、温かい用土に適合したものがある。
【０００４】
そこで、本発明は、頻繁に水遣りを行う必要がなくしかも水遣りを勘に頼ることなく行うことを可能にし、しかも、栽培する植物に適した用土温度を得ることができる植物栽培容器を提供することを目的とする。
【０００５】
【課題を解決するための手段】
本発明の植物栽培容器は、ケース本体と冷温水循環装置とからなり、前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、前記冷温水循環装置は、前記用土ケース部の内部及び前記水槽部の内部に配管され冷水または温水が流れる冷温水パイプと、該冷温水パイプに冷水または温水を供給する冷温水供給装置とを備え、前記冷温水パイプ内を循環して流れる冷水または温水によって前記用土ケース部内の植物栽培用土及び前記水槽部内の水を冷やしまたは温めることを特徴とする。
【０００６】
また、本発明の植物栽培容器は、ケース本体と冷温水循環装置とからなり、前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、前記冷温水循環装置は、前記用土ケース部の内部に配管され冷水または温水が流れる冷温水パイプと、該冷温水パイプに冷水または温水を供給する冷温水供給装置とを備え、前記冷温水パイプ内を循環して流れる冷水または温水によって前記用土ケース部内の植物栽培用土を冷やしまたは温めることを特徴とする。
【０００７】
また、本発明の植物栽培容器は、ケース本体と冷温水循環装置とからなり、前記ケース本体は、植物栽培用土が入る用土ケース部と、該用土ケース部の隣りに設けられ水が入る水槽部と、前記用土ケース部と前記水槽部とを区画する仕切板と、前記水槽部内の水を前記用土ケース部内へ流入させ、かつ、前記用土ケース部内の植物栽培用土を前記水槽内へ流入させないゲート部とを備え、前記用土ケース部の底部に排水口が設けられておらず、また、前記水槽部は、水位を視認し得るよう上方へ開口しており、前記冷温水循環装置は、前記水槽部の内部に配管され冷水または温水が流れる冷温水パイプと、該冷温水パイプに冷水または温水を供給する冷温水供給装置とを備え、前記冷温水パイプ内を循環して流れる冷水または温水によって前記水槽部内の水を冷やしまたは温めることを特徴とする。
【０００８】
前記冷温水パイプは、前記用土ケース部の底面付近及び／または前記水槽部の底面付近に配管され、かつ、該冷温水パイプに上方へ延びる放熱・吸熱フィンが形成されている。
【０００９】
【発明の実施の形態】
以下、本発明の実施形態を図面に基づいて説明する。
【００１０】
図１は、第１実施形態に係る植物栽培容器の断面図、図２は、同容器の平面図を示す。
【００１１】
図１及び図２において、容器はケース本体１００と冷温水循環装置２００とから構成される。ケース本体１００は本体部１を備え、本体部１は、仕切板２によって用土ケース部３と水槽部４とに区画されている。用土ケース部３には植物栽培用土５が入っており、この植物栽培用土５に植物６が植わっている。水槽部４には、植物６への水遣りのための水７が入っている。仕切板２の下端と本体部１の底面との間には、水槽部４内の水７が用土ケース部３内へ流入できるよう僅かな隙間８が形成されている。この隙間８には、用土ケース部３内の植物栽培用土５を水槽部４内へ流入させない網状体９が配されている。隙間８と網状体９はゲート部１０を構成している。網状体９は、その上端部が仕切板２の下端部に固着されていてもよいし、あるいは、その下端部が本体部１の底面に固着されていてもよい。仕切板２は、固定式であってもよいが、上下方向へ移動可能にケース本体１００に配設されていてもよい。固定式の場合、仕切板２を本体部１と一体に成形することが可能である。
【００１２】
上記構成のケース本体１００において、用土ケース部３内の植物栽培用土５は水槽部４内からの水の流入によって湿った状態になっており、この湿り具合は、植物栽培用土５の種類や性質の他、水槽部４内の水位によって変えることができ、また、可動式の仕切板２によって隙間８の大きさを変えることによっても植物栽培用土５の湿り具合を変えることができる。このため、植物６の種類や成長度合などによって異なる植物栽培用土５の好ましい湿り具合に合わせて水槽部４内の水位あるいは仕切板２の高さを調節することで、好ましい湿り具合を実現させることができる。そして、一旦、好ましい湿り具合に合った水位を設定した後は、水槽部４内の水位を見ることで間接的に植物栽培用土５の湿り具合を認識できるため、適宜、設定水位まで水を水槽部４内に補給することで、水遣りを適切かつ簡単に行うことができるようになる。また、可動式仕切板２の場合、植物栽培用土５を水没させることも可能である。
【００１３】
冷温水循環装置２００は、用土ケース部３の内部及び水槽部４の内部、好ましくは底面付近に配管され冷水または温水が流れる冷温水パイプ５１と、冷温水パイプ５１に冷水または温水を供給する冷温水供給装置５２とを備え、冷温水パイプ５１内を循環して流れる冷水または温水によって用土ケース部３内の植物栽培用土５及び水槽部４内の水７を冷やしまたは温める。
【００１４】
上述したように、植物６によっては種類によって冷たい用土５、温かい用土５に適合したものがあることから、冷温水循環装置２００によって循環させる水７の温度を調節することによって植物６に合った用土温度をつくりだすことができる。
【００１５】
図３は、第２実施形態に係る植物栽培容器の断面図、図４は、同容器の平面図を示す。
【００１６】
第２実施形態に係る植物栽培容器は、ケース本体１００と冷温水循環装置２００とから構成され、ケース本体１００は上記第１実施形態のケース本体１００と同様に構成される。冷温水循環装置２００は、上記第１実施形態の冷温水循環装置２００が植物栽培用土５と水７の両方を温めまたは冷やすよう構成されているのに対し、用土ケース部３の内部に配管され冷水または温水が流れる冷温水パイプ５１と、冷温水パイプ５１に冷水または温水を供給する冷温水供給装置５２とを備え、冷温水パイプ５１内を循環して流れる冷水または温水によって用土ケース部３内の植物栽培用土５を冷やしまたは温めるよう構成されている。
【００１７】
図５は、第３実施形態に係る植物栽培容器の断面図、図６は、同容器の平面図を示す。
【００１８】
第３実施形態に係る植物栽培容器は、ケース本体１００と冷温水循環装置２００とから構成され、ケース本体１００は上記第１実施形態のケース本体１００と同様に構成される。冷温水循環装置２００は、上記第１実施形態の冷温水循環装置２００が植物栽培用土５と水７の両方を温めまたは冷やすよう構成されているのに対し、水槽部４の内部に配管され冷水または温水が流れる冷温水パイプ５１と、冷温水パイプ５１に冷水または温水を供給する冷温水供給装置５２とを備え、冷温水パイプ５１内を循環して流れる冷水または温水によって水槽部４内の水７を冷やしまたは温めるよう構成されている。
【００１９】
このように水槽部４内の水７を冷やしまたは温めることによっても、間接的ではあるが植物栽培用土５の温度を調節することができる。
【００２０】
図７（Ａ）、（Ｂ）は第４実施形態を示し、（Ａ）は平面図、（Ｂ）は断面図である。この植物栽培容器のケース本体１００は、市販の素焼き、プラスチック製の植木鉢と同様な円筒形状をした本体部１に仕切板２を一体に成形し、仕切板２の下端に、隙間８及び網状体９を設けている。また、冷温水循環装置２００は、第１実施形態の冷温水循環装置２００と同様、用土ケース部３内の植物栽培用土５及び水槽部４内の水７を冷やしまたは温めるよう構成されている。
【００２１】
図８（Ａ）、（Ｂ）は第５実施形態を示し、（Ａ）は平面図、（Ｂ）は断面図である。この植物栽培容器のケース本体１００は、第４実施形態のケース本体１００と同様に構成され、また、冷温水循環装置２００は、第２実施形態の冷温水循環装置２００と同様、用土ケース部３内の植物栽培用土５を冷やしまたは温めるよう構成されている。
【００２２】
図９（Ａ）、（Ｂ）は第６実施形態を示し、（Ａ）は平面図、（Ｂ）は断面図である。この植物栽培容器のケース本体１００は、第４実施形態のケース本体１００と同様に構成され、また、冷温水循環装置２００は、第３実施形態の冷温水循環装置２００と同様、水槽部４内の水７を冷やしまたは温めるよう構成されている。
【００２３】
図１０（Ａ）、（Ｂ）は第７実施形態を示し、（Ａ）は平面図、（Ｂ）は断面図である。この植物栽培容器のケース本体１００は、市販のプランターと同様な長方形状をした本体部１に仕切板２を一体に成形し、仕切板２にゲート部１０として多数の小孔１１を設けて構成される。これらの小孔１１は、水槽部４内の水を用土ケース部３内へ流入させ、かつ、用土ケース部３内の植物栽培用土５を水槽部４内へ流入させない作用を発揮できるよう構成される。また、冷温水循環装置２００は、第１実施形態の冷温水循環装置２００と同様、用土ケース部３内の植物栽培用土５及び水槽部４内の水７を冷やしまたは温めるよう構成されている。
【００２４】
図１１（Ａ）、（Ｂ）は第８実施形態を示し、（Ａ）は平面図、（Ｂ）は断面図である。この植物栽培容器のケース本体１００は、第７実施形態のケース本体１００と同様に構成され、また、冷温水循環装置２００は、第２実施形態の冷温水循環装置２００と同様、用土ケース部３内の植物栽培用土５を冷やしまたは温めるよう構成されている。
【００２５】
図１２（Ａ）、（Ｂ）は第９実施形態を示し、（Ａ）は平面図、（Ｂ）は断面図である。この植物栽培容器のケース本体１００は、第７実施形態のケース本体１００と同様に構成され、また、冷温水循環装置２００は、第３実施形態の冷温水循環装置２００と同様、水槽部３内の水７を冷やしまたは温めるよう構成されている。
【００２６】
図１３（Ａ）、（Ｂ）は、第１０実施形態を示し、（Ａ）は平面図、（Ｂ）は断面図である。この植物栽培容器のケース本体１００は、市販の植木鉢と同様な円筒形状をした本体部１に、同心円筒状の仕切板２を一体に成形し、仕切板２に第７実施形態の小孔１１と同様な多数の小孔１１を設けて構成され、また、冷温水循環装置２００は、第１実施形態の冷温水循環装置２００と同様、用土ケース部３内の植物栽培用土５及び水槽部４内の水７を冷やしまたは温めるよう構成されている。
【００２７】
図１４（Ａ）、（Ｂ）は、第１１実施形態を示し、（Ａ）は平面図、（Ｂ）は断面図である。この植物栽培容器のケース本体１００は、第１０実施形態のケース本体１００と同様に構成され、また、冷温水循環装置２００は、第２実施形態の冷温水循環装置２００と同様、用土ケース部３内の植物栽培用土５を冷やしまたは温めるか、第３実施形態の冷温水循環装置２００と同様、水槽部４内の水７を冷やしまたは温めるよう構成されている。
【００２８】
図１５は、冷温水パイプ５１の断面図を示す。冷温水パイプ５１は、断面円環状のものであってもよいが、冷温水パイプ５１は用土ケース部３の底面付近または水槽部４の底面付近に配管されることから、図１６に示すように、放熱・吸熱フィン５１ａをパイプ長手方向に適宜間隔で上方へ延設することにより、冷温水パイプ５１内を循環する水の温度を用土ケース部３の上部または水槽部４の上部へ効果的に伝達させることができる。
【００２９】
なお、第１〜第６実施形態において、仕切板２を第７〜第１１実施形態の仕切板２と同様に構成し、多数の小孔１１によってゲート部１０を構成するようにしてもよい。
【００３０】
なお、図示はしないが、仕切板２自体が剛性を有する網状体９によって構成されていてもよい。この場合、用土ケース部３内の植物栽培用土５の粒径に応じて網目の大きさを設定する。
【００３１】
以上説明したように、上記各実施形態の植物栽培ケース本体１００は、植物栽培用土５が入る用土ケース部３と、用土ケース部３の隣りに設けられ水７が入る水槽部４と、用土ケース部３と水槽部４とを区画する仕切板２と、水槽部４内の水７を用土ケース部３内へ流入させ、かつ、用土ケース部３内の植物栽培用土５を水槽部４内へ流入させないゲート部１０とを備える。このため、本実施形態によると、水槽部４内の水７がゲート部１０を経て用土ケース部３内へ流入するため、用土ケース部３内の植物栽培用土５を湿った状態に保つことができ、水遣りを頻繁に行う必要がなくなる。
【００３２】
さらに、上記各実施形態の冷温水循環装置２００は、用土ケース部３の内部及び／または水槽部４の内部に配管され冷水または温水が流れる冷温水パイプ５１と、冷温水パイプ５１に冷水または温水を供給する冷温水供給装置５２とを備え、冷温水パイプ５１内を循環して流れる冷水または温水によって用土ケース部３内の植物栽培用土５及び／または水槽部４内の水７を冷やしまたは温めるよう構成されるため、冷温水循環装置２００によって循環させる水の温度を調節することによって植物６に合った用土温度をつくりだすことができる。
【００３３】
【発明の効果】
本発明によると、頻繁に水遣りを行う必要がなくしかも水遣りを勘に頼ることなく行うことが可能になるとともに、植物に合った用土温度をつくりだすことができる。
【図面の簡単な説明】
【図１】本発明の第１実施形態に係る植物栽培容器の断面図である。
【図２】同容器の平面図である。
【図３】本発明の第２実施形態に係る植物栽培容器の断面図である。
【図４】同容器の平面図である。
【図５】本発明の第３実施形態に係る植物栽培容器の断面図である。
【図６】同容器の平面図である。
【図７】第４実施形態を示し、（Ａ）は平面図、（Ｂ）は断面図である。
【図８】第５実施形態を示し、（Ａ）は平面図、（Ｂ）は断面図である。
【図９】第６実施形態を示し、（Ａ）は平面図、（Ｂ）は断面図である。
【図１０】第７実施形態を示し、（Ａ）は平面図、（Ｂ）は断面図である。
【図１１】第８実施形態を示し、（Ａ）は平面図、（Ｂ）は断面図である。
【図１２】第９実施形態を示し、（Ａ）は平面図、（Ｂ）は断面図である。
【図１３】第１０実施形態を示し、（Ａ）は平面図、（Ｂ）は断面図である。
【図１４】第１１実施形態を示し、（Ａ）は平面図、（Ｂ）は断面図である。
【図１５】冷温水パイプの断面図である。
【符号の説明】
１００    植物栽培ケース本体
２    仕切板
３    用土ケース部
４    水槽部
５    植物栽培用土
７    水
１０    ゲート部
２００    冷温水循環装置
５１    冷温水パイプ
５１ａ    放熱・吸熱フィン
５２    冷温水供給装置
【図１】
0004220147.tif 000002
【図２】
0004220147.tif 000003
【図３】
0004220147.tif 000004
【図４】
0004220147.tif 000005
【図５】
0004220147.tif 000006
【図６】
0004220147.tif 000007
【図７】
0004220147.tif 000008
【図８】
0004220147.tif 000009
【図９】
0004220147.tif 000010
【図１０】
0004220147.tif 000011
【図１１】
0004220147.tif 000012
【図１２】
0004220147.tif 000013
【図１３】
0004220147.tif 000014
【図１４】
0004220147.tif 000015
【図１５】
0004220147.tif 000016